(57)【要約】アッパー（２）、およびアッパー（２）と連結されるソール（３）を有する、靴（１）、特に運動靴に関し、靴（１）は、着用者の足で靴（１）の紐を締めるための中央留め具（４）を含み、中央留め具（４）は、アッパー（２）の領域上にまたは領域に配置されることによって、紐締め力は、アッパー（２）の領域にかけられ得る、少なくとも１つの引張要素（５）と、電気モータ（７）によって駆動される少なくとも１つのギア要素（６）であって、引張要素（５）の一部（８）は、着用者の足で靴（１）の紐を締めるための張力を生じさせるためにギア要素（６）によって靴（１）の固定位置（９）に対して引っ張られ得る、少なくとも１つのギア要素（６）と、を含む。コンパクトな中央閉鎖システムを提供するために、本発明では、引張要素（５）の一部（８）はギア部（１０）またはギア輪郭を含むストラップであり、ギア要素（６）はウォーム（１１）を含み、該ウォーム（１１）は、ウォーム（１１）の回転時に並進方向（Ｔ）にストラップ（８）を引っ張るためにギア部（１０）またはギア輪郭に係合する。【選択図】図３
2021527485.tif 000002
【特許請求の範囲】
【請求項１】
アッパー（２）、および前記アッパー（２）と連結されるソール（３）を有する、靴（１）、特に運動靴であって、
前記靴（１）は、着用者の足で前記靴（１）の紐を締めるための中央留め具（４）を含み、前記中央留め具（４）は、
前記アッパー（２）の領域上にまたは領域に配置されることによって紐締め力が前記アッパー（２）の前記領域にかけられ得る、少なくとも１つの引張要素（５）と、
少なくとも１つの電気モータ（７）によって駆動される少なくとも１つのギア要素（６）であって、前記引張要素（５）の一部（８）は、前記着用者の足で前記靴（１）の紐を締めるための張力を生じさせるために前記ギア要素（６）によって前記靴（１）の固定位置（９）に対して引っ張られ得る、少なくとも１つのギア要素（６）と、を含み、
前記引張要素（５）の前記一部（８）はギア部（１０）またはギア輪郭を含むストラップであり、前記ギア要素（６）はウォーム（１１）を含み、前記ウォーム（１１）は、前記電気モータ（７）による前記ウォーム（１１）の回転時に並進方向（Ｔ）に前記ストラップ（８）を引っ張るために前記ギア部（１０）またはギア輪郭に係合する
ことを特徴とする靴（１）。
【請求項２】
前記ギア部（１０）は、前記ストラップ（８）に機械加工される、特に打ち抜かれる複数の平行溝によって実現される
請求項１に記載の靴。
【請求項３】
前記引張要素（５）は、前記アッパー（２）の表面の平面に配置される少なくとも１つの積層部分（１２）を含み、前記積層部分（１２）は、前記アッパー（２）の前記表面に垂直に測定される厚さ（ｔ）、および前記アッパー（２）の前記表面の前記平面で測定される幅（ｗ）を有し、好ましくは、前記幅（ｗ）は前記厚さ（ｔ）の少なくとも１０倍大きく、具体的に好ましくは、前記厚さ（ｔ）の少なくとも２５倍大きい
請求項１または２に記載の靴。
【請求項４】
前記積層部分（１２）は、前記靴（１）のインステップ領域に配置される中央部（１３）を含む
請求項３に記載の靴。
【請求項５】
前記中央部（１３）は、少なくとも１つの外方部（１４）および少なくとも１つの内方部（１５）と連結され、前記少なくとも１つの外方部（１４）および前記少なくとも１つの内方部（１５）は、前記中央部（１３）から前記ソール（３）へと下方に及ぶ
請求項４に記載の靴。
【請求項６】
２つの前記外方部（１４）および２つの前記内方部（１５）は配置され、前記中央部（１３）の一部分および前記２つの外方部（１４）、ならびに、前記中央部（１３）の前記一部分および前記２つの内方部（１５）は、三角構造を形成する
請求項５に記載の靴。
【請求項７】
前記少なくとも１つの外方部（１４）および前記少なくとも１つの内方部（１５）は、それぞれの１つのストラップ（８）と合体する
請求項５または６に記載の靴。
【請求項８】
それぞれが前記ストラップ（８）の１つのギア部（１０）またはギア輪郭に係合する２つのウォーム（１１）が配置される
請求項７に記載の靴。
【請求項９】
前記引張要素（５）は、金属から作られる薄いパネルシートから作られる
請求項１ないし８のいずれかに記載の靴。
【請求項１０】
前記パネルシートの前記厚さ（ｔ）は、２．０ｍｍ未満、好ましくは１．０ｍｍ未満である
請求項９に記載の靴。
【請求項１１】
前記パネルシートは、軽金属、特にアルミニウムまたはマグネシウムから作られる
請求項９または１０に記載の靴。
【請求項１２】
前記中央留め具（４）を制御するためのスイッチ（１６）は、前記中央部（１３）に配置される
請求項４ないし１１のいずれかに記載の靴。
【請求項１３】
前記スイッチ（１６）は、前記引張要素（５）との一体設計で作られる
請求項１２に記載の靴。
【請求項１４】
前記スイッチ（１６）は接触センサであり、前記接触センサは、前記接触センサの作動面上への前記靴（１）の前記使用者の指の摺動運動に反応する
請求項１２または１３に記載の靴。
【請求項１５】
前記ギア要素（６）および前記電気モータ（７）は、前記靴（１）の前記ソール（３）に配置される
請求項１ないし１４のいずれかに記載の靴。
【発明の詳細な説明】
【技術分野】
【０００１】
本発明は、アッパー、および該アッパーと連結されるソールを有する、靴、特に運動靴であって、靴は、着用者の足で靴の紐を締めるための中央留め具を含み、中央留め具は、アッパーの領域上にまたは領域に配置されることによって紐締め力がアッパーの領域にかけられ得る、少なくとも１つの引張要素と、少なくとも１つの電気モータによって駆動される少なくとも１つのギア要素であって、引張要素の一部は、着用者の足で靴の紐を締めるための張力を生じさせるためにギア要素によって靴の固定位置に対して引っ張られ得る、少なくとも１つのギア要素と、を含む、靴、特に運動靴に関する。
【背景技術】
【０００２】
一般的な種類の、すなわち、電動式中央留め具を有する靴は、特許文献１から既知である。ここで、それぞれ、自動的にかつ電気的に靴の紐を締めかつ解くことができるようなケーブルである引張要素を巻き付けるための引張ローラは電動である。
【０００３】
不利な面として、既知の中央留め具（または中央閉鎖システム）は、靴、特に運動靴で常に利用可能であるわけではないある特定の空間を必要とする。
【先行技術文献】
【特許文献】
【０００４】
【特許文献１】独国実用新案第２９８１７００３号
【発明の概要】
【発明が解決しようとする課題】
【０００５】
よって、本発明の目的は、必要とされる空間に対する需要が非常に低い中央留め具を有する靴を提案することである。よって、中央閉鎖システムは非常にコンパクトであることを目的としている。
【課題を解決するための手段】
【０００６】
本発明によるこの目的の解決策は、引張要素の一部がギア部またはギア輪郭を含むストラップであり、ギア要素がウォームを含み、該ウォームが、ウォームの回転時に並進方向にストラップを引っ張るためにギア部またはギア輪郭に係合することを特徴とする。
【０００７】
ギア部は、好ましくは、ストラップに機械加工される、特に打ち抜かれる複数の平行溝によって実現される。
【０００８】
引張要素は、好ましくは、アッパーの表面の平面に配置される少なくとも１つの積層部分を含み、積層部分は、アッパーの表面に垂直に測定される厚さ、およびアッパーの表面の平面で測定される幅を有し、幅は厚さの少なくとも１０倍大きく、具体的に好ましくは、厚さの少なくとも２５倍大きい。すなわち、引張要素は、少なくとも部分的に、かなり肉厚の材料から作られる。
【０００９】
積層部分は、この場合、好ましくは、靴のインステップ領域に配置される中央部を含む。中央部は、好ましくは、少なくとも１つの外方部および少なくとも１つの内方部と連結され、ここで、少なくとも１つの外方部および少なくとも１つの内方部は、中央部からソールへと下方に及ぶ。
【００１０】
本発明の好ましい実施形態では、２つの外方部および２つの内方部が配置され、中央部の一部分および２つの外方部、ならびに、中央部の一部分および２つの内方部は、アッパーの表面上に三角構造を形成する。
【００１１】
少なくとも１つの外方部および少なくとも１つの内方部は、好ましくは、それぞれの１つのストラップと合体する。この場合、それぞれがストラップの１つのギア部またはギア輪郭に係合する２つのウォームが配置されるようにすることができる。
【００１２】
引張要素は、好ましくは、金属から作られる薄いパネルシートから作られる。パネルシートの厚さは、好ましくは、２．０ｍｍ未満、具体的に好ましくは１．０ｍｍ未満である。パネルシートは好ましくは、軽金属、特にアルミニウムまたはマグネシウムから作られる。
【００１３】
中央留め具を制御するためのスイッチは、中央部に配置可能である。好ましくは、スイッチは、引張要素との一体設計で（すなわち、一体要素として）で作られる。スイッチは接触センサであるのが好ましく、該接触センサは、接触センサの作動面上への靴の使用者の指の摺動運動に反応する。
【００１４】
システムの制御は、代替的にはまた、対応するアプリがロードされる携帯電話によって実行可能である。この場合、靴の使用者は、自身の携帯電話を使用することによって紐締めおよび紐解きプロセスを作動させることができる。
【００１５】
ギア要素および電気モータは、好ましくは、靴のソールに配置される。
【００１６】
引張要素の一部は、ギア要素のウォームが係合する（すなわち、かみ合わせる）ギア部またはギア輪郭を含むストラップであるため、中央留め具の非常にコンパクトな設計を生じさせることが可能である。
【００１７】
図面において、本発明の実施形態が示されている。
【図面の簡単な説明】
【００１８】
【図１】本発明の第１の実施形態による中央留め具を備える靴の斜視図である。
【図２】中央留め具の一部分、すなわち、ウォームおよび電気モータを有するギア要素、および意図した使用中にウォームがかみ合わせるギア部を有するストラップの一部分の分解組立図である。
【図３】（電気モータのない）中央留め具を示す、靴のこの縦軸に垂直な断面を示す図である。
【図４】本発明の第２の実施形態による靴の側面図である。
【図５】本発明の第３の実施形態による靴の側面図である。
【図６】本発明の第４の実施形態による靴の斜視図である。
【図７】本発明の第５の実施形態による靴の斜視図である。
【図８】本発明の第６の実施形態による靴の側面図である。
【図９】本発明の第７の実施形態による靴の側面図である。
【図１０】本発明の第８の実施形態による靴の側面図である。
【図１１】本発明の第９の実施形態による靴の側面図である。
【発明を実施するための形態】
【００１９】
図１〜図３において、本発明の第１の実施形態が示されている。靴１は、アッパー２、およびアッパー２と連結されるソール３を有する。着用者の足における靴の紐締めは、中央留め具４によって実行される。
【００２０】
中央留め具４は、張力がアッパー２、ひいては着用者の足にかけられ得るように引張要素５に張力をかける。
【００２１】
引張要素５の張力付与は、ギア要素６によって（および、より具体的には、本実施形態では２つのギア要素６によって）行われる。ギア要素６は分解組立図で図２に示されている。該ギア要素６は、ウォーム１１を駆動する電気モータ７を備える。引張要素５の一部８は、ギア部またはギア輪郭１０が機械加工されるストラップとして設計される。この場合、図２によると、ギア部１０は、ストラップ８に打ち抜かれる複数の平行溝によって確立される。
【００２２】
述べた種類のウォーム１１は、当技術分野では周知である。駆動ウォームおよび従動ウォームホイールから成る一般的なウォームギアを参照する。ストラップ８における溝とかみ合わせることができるこのようなウォームは、本解決策に適している。
【００２３】
電気モータ７およびウォーム１１は、靴の固定位置９、より具体的にはソール３内に配置される。それ故に、電気モータ７がウォーム１１を回転させる時、およびウォーム１１がストラップ８におけるギア部１０とかみ合わせる時、ストラップ８の端部は並進方向Ｔに移動する（図２および図３を参照）。
【００２４】
固定位置９は、上の文脈では、これは、ストラップ８がギア要素６の作動時に引っ張られる靴における位置であることを意味する。すなわち、ストラップ８は、靴に対して相対的に、具体的にはソール３において並進方向Ｔに移動できるが、ウォーム１１は電気モータ７と共に、靴１、具体的にはソール３に固定されるように配置される。
【００２５】
ストラップ８は、図１から明らかとなるような形状に従って機械加工される薄板金属プレートから作られる引張要素５の一部分であり、すなわち、引張要素５は実質的には積層部分１２から成る。
【００２６】
引張要素５は、よって、好ましくは１．０ｍｍを下回る厚さｔを有する薄い材料から製作される。厚さｔと比較すると、引張要素５の種々の部分の幅ｗ（図１を参照）は実質的に、例えば、厚さｔの少なくとも１０倍大きい。それ故に、引張要素５は、（厚さｔを有する）アッパー２の表面に垂直な小伸張部を有する（幅ｗを有する）アッパー２の表面に配置されるある特定の帯状部を含む。
【００２７】
具体的には図３から分かるように、引張要素５の積層部分１２は、外方部１４および内方部１５におけるアッパー２の外側および内側において合体する。図示される実施形態の場合、２つの帯状外方部１４および２つの内方部１５はストラップ８に合体し、ひいてはギア輪郭１０を保持する。
【００２８】
好ましくは、積層部分１２の一部および２つの帯状外方部１４、ならびに積層部分１２の一部および２つの内方部１５は、（靴の外側について）図１から明らかとなるように三角構造を形成する。
【００２９】
図３では、２つのギア要素６が靴１のソール３に配置され、それぞれのギア要素６が引張要素５のストラップ８と協働することが分かる。図３において、２つのギア要素６が図３の絞り面に垂直な方向にオフセットされることは留意されるべきである。２つの電気モータ７（図３に図示せず）を同時に動作させる時、２つのストラップ８は、靴１の紐を締めるまたは解くために（電気モータ７の回転方向に応じて）互いに向かって移動するまたは互いから離れる。
【００３０】
図１から分かるように、引張要素５の積層部分１２は中央部１３を有する。スイッチ１６は中央部１３の中心に配置され、これによって、靴の紐締めおよび紐解きは、スイッチ１６の表面にわたる指の摺動運動によって靴の着用者によって実行可能である。
【００３１】
よって、図３における２つのギア要素６の２つの電気モータ７（図示せず）を作動させる時、２つのストラップ８は２つのウォーム１１によって並進方向Ｔに引っ張られるため、靴の紐は着用者の足で締められる。
【００３２】
ここで、図４〜図１１に移ると、本発明の、およびより具体的には、引張要素５の種々の代替的な実施形態が示されている。共通の特徴として、中央留め具の設計は、常に、図１〜図３に関連して説明されるのと同様である。よって、図４〜図１１の種々の実施形態は引張要素５の設計のみに関係する。
【００３３】
図４において、引張要素５は、基本的に、ストラップ８の位置で合体し、かつ靴の内側および外側でＶ字形設計を形成する２つの帯状部を有する。
【００３４】
図５において、さらに、紐締め効果を改善するために靴の踵部周りに及ぶ帯状部が設けられる。
【００３５】
図６による実施形態は図４の実施形態と同様である。さらに、引張要素５およびソール３と連結され、かつ引張要素５が中央留め具４によるストラップ８の運動によって張力がかけられる時さらなる紐締めをもたらすいくつかのケーブル１７が配置される。
【００３６】
図７において、前足領域および後足領域には、引張要素５のさらなる帯状部分が設けられる。ここでも、靴のインステップ領域に及ぶケーブル１７が設けられる。
【００３７】
図８において、引張要素５は基本的に、靴のインステップ領域のみならず、靴の前足領域および踵領域において案内されるケーブル１７と連結される１つの帯状部（靴の、外側の１つの帯状部および内側の１つの帯状部）によってのみ形成される。
【００３８】
図９において、引張要素５は、基本的に、靴の外側および内側においてストラップ８と合体する単一部から成る。
【００３９】
図１０において、引張要素５の単一要素は、かなり薄く、靴のインステップ領域および靴の踵領域にわたって及ぶケーブルとして設計される。
【００４０】
最後に、図１１において、引張要素５は、最終的にストラップ８によって張力がかけられる種々のケーブルから成る網状構造として設計される。
【００４１】
（最終的に、引張要素５の一部分になる）ケーブル１７は、例えばはんだ付けによって引張要素５の別の部分と連結可能である。
【００４２】
（ストラップ８を有するがケーブル１７を有さない）引張要素５全体の好ましい製造方法として、打ち抜き、レーザ切断、または電子ビーム切断などによって薄い（例えば、矩形の）金属プレートから引張要素５の必要とされる形状を切り抜くことが提案される。この方法によって、溝１０も効率的に切り抜き可能である。これによって、引張要素５の経済的な製作が可能になる。
【００４３】
いくつかの部分を共に連結することによって引張要素５を製作することも可能である。そのように、例えば、ストラップ８は別個に製作された後、引張要素５の構造の残りの部分に固定可能である。
【００４４】
図には示されていないが、当然ながら、バッテリおよびワイヤは電気モータ７を動作させるのに必要である。
【符号の説明】
【００４５】
１    靴
２    アッパー
３    ソール
４    中央留め具
５    引張要素
６    ギア要素
７    電気モータ
８    引張要素（ストラップ）の一部
９    靴の固定位置
１０  ギア部／ギア輪郭
１１  ウォーム
１２  引張要素の積層部分
１３  中央部
１４  外方部
１５  内方部
１６  スイッチ
１７  ケーブル
Ｔ    並進方向
ｔ    厚さ
ｗ    幅
【図１】
2021527485.tif 000003
【図２】
2021527485.tif 000004
【図３】
2021527485.tif 000005
【図４】
2021527485.tif 000006
【図５】
2021527485.tif 000007
【図６】
2021527485.tif 000008
【図７】
2021527485.tif 000009
【図８】
2021527485.tif 000010
【図９】
2021527485.tif 000011
【図１０】
2021527485.tif 000012
【図１１】
2021527485.tif 000013
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
アッパー（２）、および前記アッパー（２）と連結されるソール（３）を有する、靴（１）、特に運動靴であって、
前記靴（１）は、着用者の足で前記靴（１）の紐を締めるための中央留め具（４）を含み、前記中央留め具（４）は、
前記アッパー（２）の領域上にまたは領域に配置されることによって紐締め力が前記アッパー（２）の前記領域にかけられ得る、少なくとも１つの引張要素（５）と、
少なくとも１つの電気モータ（７）によって駆動される少なくとも１つのギア要素（６）であって、前記引張要素（５）の一部（８）は、前記着用者の足で前記靴（１）の紐を締めるための張力を生じさせるために前記ギア要素（６）によって前記靴（１）の固定位置（９）に対して引っ張られ得る、少なくとも１つのギア要素（６）と、を含み、
前記引張要素（５）の前記一部（８）はギア部（１０）を含むストラップであり、前記ギア部（１０）は前記ストラップ（８）に機械加工される複数の平行溝によって実現され、前記ギア要素（６）はウォーム（１１）を含み、前記ウォーム（１１）は、前記電気モータ（７）による前記ウォーム（１１）の回転時に並進方向（Ｔ）に前記ストラップ（８）を引っ張るために前記ギア部（１０）に係合する
ことを特徴とする靴（１）。
【請求項２】
前記溝は前記ストラップ（８）に打ち抜かれる
請求項１に記載の靴。
【請求項３】
前記引張要素（５）は、前記アッパー（２）の表面の平面に配置される少なくとも１つの積層部分（１２）を含み、前記積層部分（１２）は、前記アッパー（２）の前記表面に垂直に測定される厚さ（ｔ）、および前記アッパー（２）の前記表面の前記平面で測定される幅（ｗ）を有し、好ましくは、前記幅（ｗ）は前記厚さ（ｔ）の少なくとも１０倍大きく、具体的に好ましくは、前記厚さ（ｔ）の少なくとも２５倍大きい
請求項１または２に記載の靴。
【請求項４】
前記積層部分（１２）は、前記靴（１）のインステップ領域に配置される中央部（１３）を含む
請求項３に記載の靴。
【請求項５】
前記中央部（１３）は、少なくとも１つの外方部（１４）および少なくとも１つの内方部（１５）と連結され、前記少なくとも１つの外方部（１４）および前記少なくとも１つの内方部（１５）は、前記中央部（１３）から前記ソール（３）へと下方に及ぶ
請求項４に記載の靴。
【請求項６】
２つの前記外方部（１４）および２つの前記内方部（１５）は配置され、前記中央部（１３）の一部分および前記２つの外方部（１４）、ならびに、前記中央部（１３）の前記一部分および前記２つの内方部（１５）は、三角構造を形成する
請求項５に記載の靴。
【請求項７】
前記少なくとも１つの外方部（１４）および前記少なくとも１つの内方部（１５）は、それぞれの１つのストラップ（８）と合体する
請求項５または６に記載の靴。
【請求項８】
それぞれが前記ストラップ（８）の１つのギア部（１０）またはギア輪郭に係合する２つのウォーム（１１）が配置される
請求項７に記載の靴。
【請求項９】
前記引張要素（５）は、金属から作られる薄いパネルシートから作られる
請求項１ないし８のいずれかに記載の靴。
【請求項１０】
前記パネルシートの前記厚さ（ｔ）は、２．０ｍｍ未満、好ましくは１．０ｍｍ未満である
請求項９に記載の靴。
【請求項１１】
前記パネルシートは、軽金属、特にアルミニウムまたはマグネシウムから作られる
請求項９または１０に記載の靴。
【請求項１２】
前記中央留め具（４）を制御するためのスイッチ（１６）は、前記中央部（１３）に配置される
請求項４ないし１１のいずれかに記載の靴。
【請求項１３】
前記スイッチ（１６）は、前記引張要素（５）との一体設計で作られる
請求項１２に記載の靴。
【請求項１４】
前記スイッチ（１６）は接触センサであり、前記接触センサは、前記接触センサの作動面上への前記靴（１）の前記使用者の指の摺動運動に反応する
請求項１２または１３に記載の靴。
【請求項１５】
前記ギア要素（６）および前記電気モータ（７）は、前記靴（１）の前記ソール（３）に配置される
請求項１ないし１４のいずれかに記載の靴。
【手続補正２】
【補正対象書類名】明細書
【補正対象項目名】全文
【補正方法】変更
【補正の内容】
【発明の詳細な説明】
【技術分野】
【０００１】
本発明は、アッパー、および該アッパーと連結されるソールを有する、靴、特に運動靴であって、靴は、着用者の足で靴の紐を締めるための中央留め具を含み、中央留め具は、アッパーの領域上にまたは領域に配置されることによって紐締め力がアッパーの領域にかけられ得る、少なくとも１つの引張要素と、少なくとも１つ電気モータによって駆動される少なくとも１つのギア要素であって、引張要素の一部は、着用者の足で靴の紐を締めるための張力を生じさせるためにギア要素によって靴の固定位置に対して引っ張られ得る、少なくとも１つのギア要素と、を含む、靴、特に運動靴に関する。
【背景技術】
【０００２】
一般的な種類の、すなわち、電動式中央留め具を有する靴は、特許文献１から既知である。ここで、それぞれ、自動的にかつ電気的に靴の紐を締めかつ解くことができるようなケーブルである引張要素を巻き付けるための引張ローラは電動である。同様の解決策は特許文献２に示されており、ここで、従動ウォーム（ねじジャッキ）がストラップに張力を与えるためにブラケットのねじ山とかみ合わせる。特許文献３では、従動ウォームはウォームギアと係合し、該ウォームギアはさらには回転時にワイヤに張力を与える。特許文献４では、ギア配置構成は、ベルトに張力をかけるための従動平歯車を含むソールの適所にある。
【０００３】
不利な面として、既知の中央留め具（または中央閉鎖システム）全ては、靴、特に運動靴で常に利用可能であるわけではないある特定の空間を必要とする。
【先行技術文献】
【特許文献】
【０００４】
【特許文献１】独国実用新案第２９８１７００３号
【特許文献２】米国特許出願公開第２００７／０２６１２７０号
【特許文献３】米国特許出願公開第２０１７／０２６５５９４号
【特許文献４】米国特許出願公開第２０１６／０１４３３９６号
【発明の概要】
【発明が解決しようとする課題】
【０００５】
よって、本発明の目的は、必要とされる空間に対する需要が非常に低い中央留め具を有する靴を提案することである。よって、中央閉鎖システムは非常にコンパクトであることを目的としている。
【課題を解決するための手段】
【０００６】
本発明によるこの目的の解決策は、引張要素の一部がギア部を含むストラップであり、ギア部がストラップに機械加工される複数の平行溝によって実現され、ギア要素がウォームを含み、該ウォームが、電気モータによるウォームの回転時に並進方向にストラップを引っ張るためにギア部に係合することを特徴とする。
【０００７】
溝は好ましくはストラップに打ち抜かれる。
【０００８】
引張要素は、好ましくは、アッパーの表面の平面に配置される少なくとも１つの積層部分を含み、積層部分は、アッパーの表面に垂直に測定される厚さ、およびアッパーの表面の平面で測定される幅を有し、幅は厚さの少なくとも１０倍大きく、具体的に好ましくは、厚さの少なくとも２５倍大きい。すなわち、引張要素は、少なくとも部分的に、かなり肉厚の材料から作られる。
【０００９】
積層部分は、この場合、好ましくは、靴のインステップ領域に配置される中央部を含む。中央部は、好ましくは、少なくとも１つの外方部および少なくとも１つの内方部と連結され、ここで、少なくとも１つの外方部および少なくとも１つの内方部は、中央部からソールへと下方に及ぶ。
【００１０】
本発明の好ましい実施形態では、２つの外方部および２つの内方部が配置され、中央部の一部分および２つの外方部、ならびに、中央部の一部分および２つの内方部は、アッパーの表面上に三角構造を形成する。
【００１１】
少なくとも１つの外方部および少なくとも１つの内方部は、好ましくは、それぞれの１つのストラップと合体する。この場合、それぞれがストラップの１つのギア部に係合する２つのウォームが配置されるようにすることができる。
【００１２】
引張要素は、好ましくは、金属から作られる薄いパネルシートから作られる。パネルシートの厚さは、好ましくは、２．０ｍｍ未満、具体的に好ましくは１．０ｍｍ未満である。パネルシートは好ましくは、軽金属、特にアルミニウムまたはマグネシウムから作られる。
【００１３】
中央留め具を制御するためのスイッチは、中央部に配置可能である。好ましくは、スイッチは、引張要素との一体設計で（すなわち、一体要素として）で作られる。スイッチは接触センサであるのが好ましく、該接触センサは、接触センサの作動面上への靴の使用者の指の摺動運動に反応する。
【００１４】
システムの制御は、代替的にはまた、対応するアプリがロードされる携帯電話によって実行可能である。この場合、靴の使用者は、自身の携帯電話を使用することによって紐締めおよび紐解きプロセスを作動させることができる。
【００１５】
ギア要素および電気モータは、好ましくは、靴のソールに配置される。
【００１６】
引張要素の一部は、ギア要素のウォームが係合する（すなわち、かみ合わせる）ギア部またはギア輪郭を含むストラップであるため、中央留め具の非常にコンパクトな設計を生じさせることが可能である。
【００１７】
図面において、本発明の実施形態が示されている。
【図面の簡単な説明】
【００１８】
【図１】本発明の第１の実施形態による中央留め具を備える靴の斜視図である。
【図２】中央留め具の一部分、すなわち、ウォームおよび電気モータを有するギア要素、および意図した使用中にウォームがかみ合わせるギア部を有するストラップの一部分の分解組立図である。
【図３】（電気モータのない）中央留め具を示す、靴のこの縦軸に垂直な断面を示す図である。
【図４】本発明の第２の実施形態による靴の側面図である。
【図５】本発明の第３の実施形態による靴の側面図である。
【図６】本発明の第４の実施形態による靴の斜視図である。
【図７】本発明の第５の実施形態による靴の斜視図である。
【図８】本発明の第６の実施形態による靴の側面図である。
【図９】本発明の第７の実施形態による靴の側面図である。
【図１０】本発明の第８の実施形態による靴の側面図である。
【図１１】本発明の第９の実施形態による靴の側面図である。
【発明を実施するための形態】
【００１９】
図１〜図３において、本発明の第１の実施形態が示されている。靴１は、アッパー２、およびアッパー２と連結されるソール３を有する。着用者の足における靴の紐締めは、中央留め具４によって実行される。
【００２０】
中央留め具４は、張力がアッパー２、ひいては着用者の足にかけられ得るように引張要素５に張力をかける。
【００２１】
引張要素５の張力付与は、ギア要素６によって（および、より具体的には、本実施形態では２つのギア要素６によって）行われる。ギア要素６は分解組立図で図２に示されている。該ギア要素６は、ウォーム１１を駆動する電気モータ７を備える。引張要素５の一部８は、ギア部またはギア輪郭１０が機械加工されるストラップとして設計される。この場合、図２によると、ギア部１０は、ストラップ８に打ち抜かれる複数の平行溝によって確立される。
【００２２】
述べた種類のウォーム１１は、当技術分野では周知である。駆動ウォームおよび従動ウォームホイールから成る一般的なウォームギアを参照する。ストラップ８における溝とかみ合わせることができるこのようなウォームは、本解決策に適している。
【００２３】
電気モータ７およびウォーム１１は、靴の固定位置９、より具体的にはソール３内に配置される。それ故に、電気モータ７がウォーム１１を回転させる時、およびウォーム１１がストラップ８におけるギア部１０とかみ合わせる時、ストラップ８の端部は並進方向Ｔに移動する（図２および図３を参照）。
【００２４】
固定位置９は、上の文脈では、これは、ストラップ８がギア要素６の作動時に引っ張られる靴における位置であることを意味する。すなわち、ストラップ８は、靴に対して相対的に、具体的にはソール３において並進方向Ｔに移動できるが、ウォーム１１は電気モータ７と共に、靴１、具体的にはソール３に固定されるように配置される。
【００２５】
ストラップ８は、図１から明らかとなるような形状に従って機械加工される薄板金属プレートから作られる引張要素５の一部分であり、すなわち、引張要素５は実質的には積層部分１２から成る。
【００２６】
引張要素５は、よって、好ましくは１．０ｍｍを下回る厚さｔを有する薄い材料から製作される。厚さｔと比較すると、引張要素５の種々の部分の幅ｗ（図１を参照）は実質的に、例えば、厚さｔの少なくとも１０倍大きい。それ故に、引張要素５は、（厚さｔを有する）アッパー２の表面に垂直な小伸張部を有する（幅ｗを有する）アッパー２の表面に配置されるある特定の帯状部を含む。
【００２７】
具体的には図３から分かるように、引張要素５の積層部分１２は、外方部１４および内方部１５におけるアッパー２の外側および内側において合体する。図示される実施形態の場合、２つの帯状外方部１４および２つの内方部１５はストラップ８に合体し、ひいてはギア輪郭１０を保持する。
【００２８】
好ましくは、積層部分１２の一部および２つの帯状外方部１４、ならびに積層部分１２の一部および２つの内方部１５は、（靴の外側について）図１から明らかとなるように三角構造を形成する。
【００２９】
図３では、２つのギア要素６が靴１のソール３に配置され、それぞれのギア要素６が引張要素５のストラップ８と協働することが分かる。図３において、２つのギア要素６が図３の絞り面に垂直な方向にオフセットされることは留意されるべきである。２つの電気モータ７（図３に図示せず）を同時に動作させる時、２つのストラップ８は、靴１の紐を締めるまたは解くために（電気モータ７の回転方向に応じて）互いに向かって移動するまたは互いから離れる。
【００３０】
図１から分かるように、引張要素５の積層部分１２は中央部１３を有する。スイッチ１６は中央部１３の中心に配置され、これによって、靴の紐締めおよび紐解きは、スイッチ１６の表面にわたる指の摺動運動によって靴の着用者によって実行可能である。
【００３１】
よって、図３における２つのギア要素６の２つの電気モータ７（図示せず）を作動させる時、２つのストラップ８は２つのウォーム１１によって並進方向Ｔに引っ張られるため、靴の紐は着用者の足で締められる。
【００３２】
ここで、図４〜図１１に移ると、本発明の、およびより具体的には、引張要素５の種々の代替的な実施形態が示されている。共通の特徴として、中央留め具の設計は、常に、図１〜図３に関連して説明されるのと同様である。よって、図４〜図１１の種々の実施形態は引張要素５の設計のみに関係する。
【００３３】
図４において、引張要素５は、基本的に、ストラップ８の位置で合体し、かつ靴の内側および外側でＶ字形設計を形成する２つの帯状部を有する。
【００３４】
図５において、さらに、紐締め効果を改善するために靴の踵部周りに及ぶ帯状部が設けられる。
【００３５】
図６による実施形態は図４の実施形態と同様である。さらに、引張要素５およびソール３と連結され、かつ引張要素５が中央留め具４によるストラップ８の運動によって張力がかけられる時さらなる紐締めをもたらすいくつかのケーブル１７が配置される。
【００３６】
図７において、前足領域および後足領域には、引張要素５のさらなる帯状部分が設けられる。ここでも、靴のインステップ領域に及ぶケーブル１７が設けられる。
【００３７】
図８において、引張要素５は基本的に、靴のインステップ領域のみならず、靴の前足領域および踵領域において案内されるケーブル１７と連結される１つの帯状部（靴の、外側の１つの帯状部および内側の１つの帯状部）によってのみ形成される。
【００３８】
図９において、引張要素５は、基本的に、靴の外側および内側においてストラップ８と合体する単一部から成る。
【００３９】
図１０において、引張要素５の単一要素は、かなり薄く、靴のインステップ領域および靴の踵領域にわたって及ぶケーブルとして設計される。
【００４０】
最後に、図１１において、引張要素５は、最終的にストラップ８によって張力がかけられる種々のケーブルから成る網状構造として設計される。
【００４１】
（最終的に、引張要素５の一部分になる）ケーブル１７は、例えばはんだ付けによって引張要素５の別の部分と連結可能である。
【００４２】
（ストラップ８を有するがケーブル１７を有さない）引張要素５全体の好ましい製造方法として、打ち抜き、レーザ切断、または電子ビーム切断などによって薄い（例えば、矩形の）金属プレートから引張要素５の必要とされる形状を切り抜くことが提案される。この方法によって、溝１０も効率的に切り抜き可能である。これによって、引張要素５の経済的な製作が可能になる。
【００４３】
いくつかの部分を共に連結することによって引張要素５を製作することも可能である。そのように、例えば、ストラップ８は別個に製作された後、引張要素５の構造の残りの部分に固定可能である。
【００４４】
図には示されていないが、当然ながら、バッテリおよびワイヤは電気モータ７を動作させるのに必要である。
【符号の説明】
【００４５】
１    靴
２    アッパー
３    ソール
４    中央留め具
５    引張要素
６    ギア要素
７    電気モータ
８    引張要素（ストラップ）の一部
９    靴の固定位置
１０  ギア部／ギア輪郭
１１  ウォーム
１２  引張要素の積層部分
１３  中央部
１４  外方部
１５  内方部
１６  スイッチ
１７  ケーブル
Ｔ    並進方向
ｔ    厚さ
ｗ    幅
【国際調査報告】
2021527485.tif 000014
2021527485.tif 000015
2021527485.tif 000016